(57)【要約】【課題】スキャナ装置が取得するスキャン文書を配信サーバが配信する文書配信システムに関して、スキャナ装置で利用する配信サーバを操作者が簡単かつ任意に指定できるようにすること。【解決手段】所定のユーザを宛先とする画像を所定の配信先に配信する配信サーバ、のクライアントとなるスキャナ装置であって、原稿から画像を読み取る読取手段と、前記原稿から読み取った画像の宛先となるユーザを指定する指定画面を表示する表示手段と、前記原稿から読み取った画像を前記指定画面で指定されたユーザを宛先として配信サーバに転送する転送手段とを備え、前記転送手段は、当該スキャナ装置にセットされた記憶媒体から取得された配信サーバの識別情報に基づいて、前記原稿から読み取った画像を当該配信サーバに転送することを特徴とするスキャナ装置。【選択図】  図３
2006333428.tif 000002
【特許請求の範囲】
【請求項１】
所定のユーザを宛先とする画像を所定の配信先に配信する配信サーバ、のクライアントとなるスキャナ装置であって、
原稿から画像を読み取る読取手段と、前記原稿から読み取った画像の宛先となるユーザを指定する指定画面を表示する表示手段と、前記原稿から読み取った画像を前記指定画面で指定されたユーザを宛先として配信サーバに転送する転送手段とを備え、
前記転送手段は、当該スキャナ装置にセットされた記憶媒体から取得された配信サーバの識別情報に基づいて、前記原稿から読み取った画像を当該配信サーバに転送することを特徴とするスキャナ装置。
【請求項２】
前記表示手段は、ユーザ一覧からユーザを指定するような前記指定画面を表示することを特徴とする請求項１に記載のスキャナ装置。
【請求項３】
前記表示手段は、前記配信サーバから取得されたユーザ一覧に基づき、当該ユーザ一覧からユーザを指定するような前記指定画面を表示することを特徴とする請求項２に記載のスキャナ装置。
【請求項４】
前記表示手段は、前記記憶媒体から取得されたユーザの識別情報に基づき、ユーザ一覧から当該ユーザがデフォルトで指定されているような前記指定画面を表示することを特徴とする請求項２又は３に記載のスキャナ装置。
【請求項５】
前記記憶媒体は、ＩＣカードであることを特徴とする請求項１乃至４のいずれか１項に記載のスキャナ装置。
【請求項６】
前記記憶媒体に記憶されている配信サーバの識別情報は、配信サーバのＩＰアドレスであることを特徴とする請求項１乃至５のいずれか１項に記載のスキャナ装置。
【請求項７】
所定のユーザを宛先とする画像を所定の配信先に配信する配信サーバ、のクライアントとなる端末装置であって、
当該端末装置にセットされた記憶媒体にユーザの識別情報を記憶させるための操作画面を表示する表示手段と、前記操作画面で指定された配信サーバからユーザ一覧を取得する一覧取得手段と、前記操作画面で指定された配信サーバから取得されたユーザ一覧を前記操作画面に表示する一覧表示手段と、前記操作画面でユーザ一覧から指定されたユーザの識別情報を当該端末装置にセットされた記憶媒体に記憶させる記憶手段とを備えることを特徴とする端末装置。
【請求項８】
前記記憶手段は、前記操作画面で指定された配信サーバの識別情報と、前記操作画面でユーザ一覧から指定されたユーザの識別情報とを、前記記憶媒体に記憶させることを特徴とする請求項７に記載の端末装置。
【請求項９】
所定のユーザを宛先とする画像を所定の配信先に配信する配信サーバ、のクライアントとなるスキャナ装置により実行される情報処理方法であって、
原稿から画像を読み取る読取段階と、前記原稿から読み取った画像の宛先となるユーザを指定する指定画面を表示する表示段階と、前記原稿から読み取った画像を前記指定画面で指定されたユーザを宛先として配信サーバに転送する転送段階とを備え、
前記転送段階で、当該スキャナ装置にセットされた記憶媒体から取得された配信サーバの識別情報に基づいて、前記原稿から読み取った画像を当該配信サーバに転送することを特徴とする情報処理方法。
【請求項１０】
所定のユーザを宛先とする画像を所定の配信先に配信する配信サーバ、のクライアントとなる端末装置により実行される情報処理方法であって、
当該端末装置にセットされた記憶媒体にユーザの識別情報を記憶させるための操作画面を表示する表示段階と、前記操作画面で指定された配信サーバからユーザ一覧を取得する一覧取得段階と、前記操作画面で指定された配信サーバから取得されたユーザ一覧を前記操作画面に表示する一覧表示段階と、前記操作画面でユーザ一覧から指定されたユーザの識別情報を当該端末装置にセットされた記憶媒体に記憶させる記憶段階とを備えることを特徴とする情報処理方法。
【請求項１１】
請求項９又は１０に記載の情報処理方法をコンピュータに実行させるプログラム。
【請求項１２】
請求項９又は１０に記載の情報処理方法をコンピュータに実行させるプログラムを記録したコンピュータ読取可能な記録媒体。
【発明の詳細な説明】
【技術分野】
【０００１】
本発明は、スキャナ／スキャナ機能を備えるコピー機／スキャナ機能を備える複合機／スキャナ機能を備える融合機等のスキャナ装置、パーソナルコンピュータ等の端末装置、情報処理方法、プログラム、ＣＤ−ＲＯＭ等の記録媒体に関する。
【背景技術】
【０００２】
図１は、スキャン文書（スキャン画像）を配信する文書配信システムの従来例を表す。この文書配信システムでは、スキャン文書を取得するスキャナとスキャン文書を配信する配信サーバとがネットワークで相互接続されており、スキャナが取得するスキャン文書を配信サーバが配信する。近年、このようなクライアント・サーバ型の文書配信システムが普及しつつある。
【０００３】
配信サーバには、ユーザ毎の配信先情報があらかじめ設定されている。配信サーバは、ユーザ毎の配信先情報に基づき、所定のユーザを宛先とするスキャン文書を所定の配信先に配信する。例えば、Ａさん宛てのスキャン文書をファイルサーバのフォルダ「ＡＡＡ」に保存し、Ｂさん宛てのスキャン文書をメールに添付してメールアドレス「ＢＢＢ＠ｒ．ｃｏ．ｊｐ」に送信する、という具合である。スキャナには、アクセスする配信サーバのＩＰアドレス「１９２．１６８．０．１０」があらかじめ設定されている。
【０００４】
操作者がスキャナを起動させると、スキャナは設定された配信サーバにアクセスする。スキャナは、配信サーバからユーザ一覧を取得し、オペレーションパネルにユーザ一覧を表示（図２）する。操作者がユーザ一覧からユーザ名を指定（図２）してスキャン操作を実行すると、スキャナはスキャン処理を実行してスキャン文書を取得する。スキャナは、スキャン文書とユーザ名とを配信サーバに転送し、配信サーバは、当該ユーザ名を宛先として当該スキャン文書を設定された配信先に配信する。
【特許文献１】特開２００４−１１２７９８号公報
【発明の開示】
【発明が解決しようとする課題】
【０００５】
しかしながら、この文書配信システムでは、スキャナはＩＰアドレスがあらかじめ設定されている配信サーバにしかアクセスできない。具体例として、普段はスキャナＡを使用している操作者が、他の事業所を訪問した際に他の事業所のスキャナＢを使用する場合を想定する。操作者は、スキャナＢに設定されている配信サーバＢでなくスキャナＡに設定されている配信サーバＡを利用したい場合、使用前に設定を配信サーバＡのＩＰアドレスに変えて、使用後に設定を配信サーバＢのＩＰアドレスに戻しておく必要がある。これは操作者にとって非常に面倒である。
【０００６】
そこで、スキャナに複数台の配信サーバのＩＰアドレスをあらかじめ設定しておいて、操作者がスキャナの使用時に１台の配信サーバを選択するようにすることが考えられる。しかしこれではネットワーク規模が大きくなると、設定負担が大きくなるし、沢山の配信サーバの中から所望の配信サーバを選択することが困難になる。また、スキャナがマルチキャストで配信サーバを探索してリアルタイムに配信サーバリストを更新するようにすることが考えられる。しかしこれではネットワーク規模が大きくなるとやはり、沢山の配信サーバの中から所望の配信サーバを選択することが困難になる。
【０００７】
したがって、本発明は、スキャナ装置が取得するスキャン文書を配信サーバが配信する文書配信システムに関して、スキャナ装置で利用する配信サーバを操作者が簡単かつ任意に指定できるようにすることを課題とする。
【課題を解決するための手段】
【０００８】
本発明は、所定のユーザを宛先とする画像を所定の配信先に配信する配信サーバ、のクライアントとなるスキャナ装置であって、原稿から画像を読み取る読取手段と、前記原稿から読み取った画像の宛先となるユーザを指定する指定画面を表示する表示手段と、前記原稿から読み取った画像を前記指定画面で指定されたユーザを宛先として配信サーバに転送する転送手段とを備え、前記転送手段は、当該スキャナ装置にセットされた記憶媒体から取得された配信サーバの識別情報に基づいて、前記原稿から読み取った画像を当該配信サーバに転送することを特徴とするスキャナ装置に係る。
【０００９】
本発明は、所定のユーザを宛先とする画像を所定の配信先に配信する配信サーバ、のクライアントとなる端末装置であって、当該端末装置にセットされた記憶媒体にユーザの識別情報を記憶させるための操作画面を表示する表示手段と、前記操作画面で指定された配信サーバからユーザ一覧を取得する一覧取得手段と、前記操作画面で指定された配信サーバから取得されたユーザ一覧を前記操作画面に表示する一覧表示手段と、前記操作画面でユーザ一覧から指定されたユーザの識別情報を当該端末装置にセットされた記憶媒体に記憶させる記憶手段とを備えることを特徴とする端末装置に係る。
【００１０】
本発明は、所定のユーザを宛先とする画像を所定の配信先に配信する配信サーバ、のクライアントとなるスキャナ装置により実行される情報処理方法であって、原稿から画像を読み取る読取段階と、前記原稿から読み取った画像の宛先となるユーザを指定する指定画面を表示する表示段階と、前記原稿から読み取った画像を前記指定画面で指定されたユーザを宛先として配信サーバに転送する転送段階とを備え、前記転送段階で、当該スキャナ装置にセットされた記憶媒体から取得された配信サーバの識別情報に基づいて、前記原稿から読み取った画像を当該配信サーバに転送することを特徴とする情報処理方法に係る。
【００１１】
本発明は、所定のユーザを宛先とする画像を所定の配信先に配信する配信サーバ、のクライアントとなる端末装置により実行される情報処理方法であって、当該端末装置にセットされた記憶媒体にユーザの識別情報を記憶させるための操作画面を表示する表示段階と、前記操作画面で指定された配信サーバからユーザ一覧を取得する一覧取得段階と、前記操作画面で指定された配信サーバから取得されたユーザ一覧を前記操作画面に表示する一覧表示段階と、前記操作画面でユーザ一覧から指定されたユーザの識別情報を当該端末装置にセットされた記憶媒体に記憶させる記憶段階とを備えることを特徴とする情報処理方法に係る。
【００１２】
本発明は、上記の情報処理方法をコンピュータに実行させるプログラムに係る。本発明は、上記の情報処理方法をコンピュータに実行させるプログラムを記録したコンピュータ読取可能な記録媒体に係る。
【発明の効果】
【００１３】
本発明は、スキャナ装置が取得するスキャン文書を配信サーバが配信する文書配信システムに関して、スキャナ装置で利用する配信サーバを操作者が簡単かつ任意に指定できるようにすることを可能にする。
【発明を実施するための最良の形態】
【００１４】
図３は、スキャン文書（スキャン画像）を配信する文書配信システムの第１の実施例を表す。図３の文書配信システムでは、スキャン文書を取得するスキャナ１０１とスキャン文書を配信する配信サーバ１０２がネットワーク１０３で相互接続されており、スキャナ１０１が取得するスキャン文書を配信サーバ１０２が配信する。図３の文書配信システムは、文書配信処理のクライアントとして機能するスキャナ１０１と文書配信処理のサーバとして機能する配信サーバ１０２により構成されている。
【００１５】
図４は、第１の実施例のスキャナ１０１の機能ブロック図である。スキャナ１０１は、スキャナ部１１１と、ユーザインタフェース部１１２と、カードインタフェース部１１３と、情報処理部１１４等により構成されている。
【００１６】
スキャナ部１１１は、原稿から画像を読み取る機能ブロックであり、スキャナエンジン等により構成されている。スキャナ部１１１は、原稿面上の濃淡画像を光学的手法により読み取り、濃淡画像を電子データ（スキャンデータ）に変換することができる。スキャンデータはＪＰＥＧ，ＴＩＦＦ，ＰＤＦと言った一般的な画像フォーマットに変換されて、スキャナ部１１１から情報処理部１１４に提供される。
【００１７】
ユーザインタフェース部１１２は、表示用や操作用のユーザインタフェースを提供する機能ブロックであり、オペレーションパネル等により構成されている。ユーザインタフェース部１１２は、スキャン条件（解像度や濃淡等）の設定操作を受け付けたり、スキャン処理の開始操作を受け付けたり、原稿から読み取った画像の宛先となるユーザを指定するための指定画面を表示したりすることができる。
【００１８】
カードインタフェース部１１３は、個人携帯型のカード型記憶媒体をセットするカードインタフェースを提供する機能ブロックであり、カードリーダライタやデバイスドライバ等により構成されている。個人携帯型のカード型記憶媒体の具体例としては、ＩＣカードや磁気カードやメモリカードが存在するが、ここでは配信サーバ１０２を識別するための識別情報が記憶されているＩＣカードを想定する。配信サーバ１０２の識別情報の具体例としては、配信サーバ１０２のＩＰアドレスやＭＡＣアドレスや機体番号が存在するが、ここでは配信サーバ１０２のＩＰアドレスを想定する。
【００１９】
情報処理部１１４は、スキャン処理に関する種々の情報処理を実行する機能ブロックであり、ＣＰＵやＲＡＭやＲＯＭやＮＩＣ（ネットワークインタフェースカード）等により構成されている。ＲＯＭには、図のように、オペレーティングシステム１２１やスキャン処理用のアプリケーション１２２が格納されている。情報処理部１１４は、原稿から読み取った画像の宛先となるユーザを指定するための指定画面に表示されるユーザ一覧を配信サーバ１０２から取得したり、原稿から読み取った画像を指定画面で指定されたユーザを宛先として配信サーバ１０２に転送したりすることができる。
【００２０】
図５は、第１の実施例の配信サーバ１０２の機能ブロック図である。配信サーバ１０２は、情報処理部１３１と、ユーザインタフェース部１３２等により構成されている。
【００２１】
情報処理部１３１は、文書配信処理に関する種々の情報処理を実行する機能ブロックであり、ＣＰＵやＲＡＭやＲＯＭやＨＤＤやＮＩＣ（ネットワークインタフェースカード）等により構成されている。ＲＯＭやＨＤＤには、図のように、オペレーティングシステム１４１や文書配信処理用のアプリケーション１４２が格納されている。情報処理部１３１は、ユーザ毎の配信先情報を管理したり、ユーザ毎の配信先情報に基づいて、ユーザ一覧をスキャナ１０１に提供したりする。更には、所定のユーザを宛先とするスキャン文書をスキャナ１０１から取得したり、ユーザ毎の配信先情報に基づいて、所定のユーザを宛先とするスキャン文書を所定の配信先に配信したりする。例えば、Ａさん宛のスキャン文書をファイルサーバのフォルダ「ＡＡＡ」に保存したり、Ｂさん宛のスキャン文書をメールに添付してメールアドレス「ＢＢＢ＠ｒ．ｃｏ．ｊｐ」に送信したりする。
【００２２】
ユーザインタフェース部１３２は、表示用や操作用のユーザインタフェースを提供する機能ブロックであり、ディスプレイやキーボードやマウス等により構成されている。このユーザインタフェース部１３２は例えば、文書配信システムの管理者がユーザ毎の配信先情報を設定する際に使用される。
【００２３】
図３に戻って説明を続ける。第１実施例では、スキャナ１０１の操作者は、自分が利用する配信サーバ１０２のＩＰアドレスが記憶されたＩＣカード１５１を携帯しておいて、スキャナ１０１を使用する際にスキャナ１０１にそのＩＣカード１５１をセットするものとする。そして、スキャナ１０１の操作者がそのＩＣカード１５１をセットすると、スキャナ１０１は、そのＩＣカード１５１から取得された配信サーバ１０２のＩＰアドレスに基づき、該配信サーバ１０２から配信先ユーザ一覧を取得する。そして、スキャナ１０１の操作者が配信先ユーザを指定した上でスキャン操作を実行すると、スキャナ１０１は、原稿から読み取った画像を該配信サーバ１０２に転送する。したがって、スキャナ１０１の操作者は、スキャナ１０１を使用する際にスキャナ１０１にＩＣカード１５１をセットするという簡単な操作で、自分が利用する配信サーバ１０２を任意に指定できる事になる。例えば、配信サーバＸのＩＰアドレスが記憶されたＩＣカードを携帯しておけば、スキャナＡでもスキャナＢでもスキャナＣでもそのＩＣカードをセットするという簡単な操作で配信サーバＸを利用できる事になる。
【００２４】
なお、第１実施例では、配信サーバ１０２のＩＰアドレスを記憶する記憶媒体として、世間で広く普及している記憶媒体であるＩＣカード１５１が採用されている。第１実施例の方式を世間に広く普及させやすいという利点があるからである。ＩＣカードは社員証や学生証として携帯されていることが多いため、このようなＩＣカードを第１実施例のＩＣカード１５１として併用するようにすれば便利である。
【００２５】
また、第１実施例では、ＩＣカード１５１に記憶される配信サーバ１０２の識別情報として、世間で広く普及しているＴＣＰ／ＩＰネットワーク用のＩＰアドレスが採用されている。第１実施例の方式を世間に広く普及させやすいという利点があるからである。
【００２６】
図６は、第１の実施例の文書配信システムによる文書配信処理のシーケンス図である。図３，図４，図５の説明内容を前提として説明する。
【００２７】
操作者がスキャナ１０１を使用する際にスキャナ１０１にＩＣカード１５１を挿入（Ｓ１１１）すると、カードインタフェース部１１３から情報処理部１１４に、ＩＣカード１５１の挿入通知が送信（Ｓ１１２）される。次に、情報処理部１１４からカードインタフェース部１１３に、配信サーバ１０２のＩＰアドレスが要求（Ｓ１１３）される。次に、カードインタフェース部１１３は、配信サーバ１０２のＩＰアドレスをＩＣカード１５１から取得（Ｓ１１４）する。次に、カードインタフェース部１１３から情報処理部１１４に、配信サーバ１０２のＩＰアドレスが返答（Ｓ１１５）される。次に、情報処理部１１４は、配信サーバ１０２のＩＰアドレスに基づき、当該配信サーバ１０２にユーザ一覧を要求（Ｓ１２１）する。次に、当該配信サーバ１０２（の情報処理部１３２）は、ユーザ毎の配信先情報に基づき、ユーザ一覧を用意（Ｓ１２２）する。次に、情報処理部１１４は、当該配信サーバ１０２からユーザ一覧を取得（Ｓ１２３）する。次に、情報処理部１１４からユーザインタフェース部１１２に、当該ユーザ一覧が提供（Ｓ１２４）される。次に、ユーザインタフェース部１１２は、当該ユーザ一覧に基づき、スキャン文書の宛先となるユーザを当該ユーザ一覧から指定するような指定画面（図２）を表示（Ｓ１２５）する。
【００２８】
操作者が当該ユーザ一覧からユーザを指定（Ｓ１３１）してスキャン操作を実行（Ｓ１３２）すると、ユーザインタフェース部１１２から情報処理部１１４に、当該ユーザのユーザＩＤが通知（Ｓ１３３）されてスキャン処理が要求（Ｓ１３４）される。次に、情報処理部１１４からスキャナ部１１１に、スキャン処理が要求（Ｓ１３５）される。次に、スキャナ部１１１は、スキャン処理を実行して、スキャン文書を取得（Ｓ１３６）する。次に、スキャナ部１１１から情報処理部１１４に、スキャン文書が提供（Ｓ１３７）される。次に、情報処理部１１４は、上記の配信サーバ１０２のＩＰアドレスに基づき、当該スキャン文書と当該ユーザＩＤとを上記の配信サーバ１０２に転送（Ｓ１４１）する。次に、当該配信サーバ１０２（の情報処理部１３２）は、ユーザ毎の配信先情報に基づき、当該ユーザＩＤのユーザを宛先として当該スキャン文書を設定された配信先に配信（Ｓ１４２）する。次に、情報処理部１１４は、当該配信サーバ１０２から当該スキャン文書の配信結果を取得（Ｓ１４３）する。次に、情報処理部１１４からユーザインタフェース部１１２に、当該スキャン文書の配信結果が送信（Ｓ１４４）される。次に、ユーザインタフェース部１１２は、当該スキャン文書の配信結果を表示（Ｓ１４５）する。
【００２９】
図７は、スキャン文書（スキャン画像）を配信する文書配信システムの第２の実施例を表す。図７の文書配信システムでは、スキャン文書を取得するスキャナ１０１とスキャン文書を配信する配信サーバ１０２がネットワーク１０３で相互接続されており、スキャナ１０１が取得するスキャン文書を配信サーバ１０２が配信する。図７の文書配信システムは、文書配信処理のクライアントとして機能するスキャナ１０１と文書配信処理のサーバとして機能する配信サーバ１０２により構成されている。
【００３０】
以下、第１実施例と第２実施例の相違点について説明する。第２実施例では、スキャナ１０１の操作者は、自分が利用する配信サーバ１０２のＩＰアドレスと、自分がよく宛先とするユーザの識別情報（ここではユーザＩＤ）とが記憶されたＩＣカード１５１を携帯しておいて、スキャナ１０１を使用する際にスキャナ１０１にそのＩＣカード１５１をセットするものとする。そして、スキャナ１０１の操作者がそのＩＣカード１５１をセットすると、スキャナ１０１は、そのＩＣカード１５１から取得されたユーザの識別情報に基づき、ユーザ一覧からそのユーザがデフォルトで指定されているような指定画面（図２）を表示するものとする。したがって、スキャナ１０１の操作者は、スキャナ１０１を使用する際にスキャナ１０１にＩＣカード１５１をセットするという簡単な操作で、自分がよく宛先とするユーザをユーザ一覧から指定する手間を省略できる事になる。例えば、ＡさんのユーザＩＤとＣさんのユーザＩＤが記憶されたＩＣカードをセットすれば、ＡさんやＢさんやＣさんやＤさんによるユーザ一覧からＡさんとＣさんがデフォルトで指定されているような指定画面が表示される事になる。その後、スキャナ１０１の操作者がスキャン操作を実行すると、スキャナ１０１は、そのＩＣカード１５１から取得された配信サーバ１０２のＩＰアドレスに基づき、原稿から読み取った画像をその配信サーバ１０２に転送する事になる。
【００３１】
図８は、第２の実施例の文書配信システムによる文書配信処理のシーケンス図である。図７，図４，図５の説明内容を前提として説明する。
【００３２】
操作者がスキャナ１０１を使用する際にスキャナ１０１にＩＣカード１５１を挿入（Ｓ２１１）すると、カードインタフェース部１１３から情報処理部１１４に、ＩＣカード１５１の挿入通知が送信（Ｓ２１２）される。次に、情報処理部１１４からカードインタフェース部１１３に、配信サーバ１０２のＩＰアドレスが要求（Ｓ２１３）される。次に、カードインタフェース部１１３は、配信サーバ１０２のＩＰアドレスをＩＣカード１５１から取得（Ｓ２１４）する。次に、カードインタフェース部１１３から情報処理部１１４に、配信サーバ１０２のＩＰアドレスが返答（Ｓ２１５）される。次に、情報処理部１１４は、配信サーバ１０２のＩＰアドレスに基づき、当該配信サーバ１０２にユーザ一覧を要求（Ｓ２２１）する。次に、当該配信サーバ１０２（の情報処理部１３２）は、ユーザ毎の配信先情報に基づき、ユーザ一覧を用意（Ｓ２２２）する。次に、情報処理部１１４は、当該配信サーバ１０２からユーザ一覧を取得（Ｓ２２３）する。次に、情報処理部１１４からカードインタフェース部１１３に、デフォルト指定用のユーザＩＤが要求（Ｓ２２４）される。次に、カードインタフェース部１１３はデフォルト指定用のユーザＩＤをＩＣカード１５１から取得（Ｓ２２５）する。次に、カードインタフェース部１１３から情報処理部１１４に、デフォルト指定用のユーザＩＤが返答（Ｓ２２６）される。次に、情報処理部１１４からユーザインタフェース部１１２に、当該ユーザ一覧と当該ユーザＩＤとが提供（Ｓ２２７）される。次に、ユーザインタフェース部１１２は、当該ユーザ一覧と当該ユーザＩＤとに基づいて、スキャン文書の宛先となるユーザとして当該ユーザＩＤのユーザが当該ユーザ一覧からデフォルトで指定されているような指定画面（図２）を表示（Ｓ２２８）する。
【００３３】
操作者が当該ユーザ一覧からユーザを指定（Ｓ２３１）してスキャン操作を実行（Ｓ２３２）すると、ユーザインタフェース部１１２から情報処理部１１４に、当該ユーザのユーザＩＤが通知（Ｓ２３３）されてスキャン処理が要求（Ｓ２３４）される。次に、情報処理部１１４からスキャナ部１１１に、スキャン処理が要求（Ｓ２３５）される。次に、スキャナ部１１１は、スキャン処理を実行して、スキャン文書を取得（Ｓ２３６）する。次に、スキャナ部１１１から情報処理部１１４に、スキャン文書が提供（Ｓ２３７）される。次に、情報処理部１１４は、上記の配信サーバ１０２のＩＰアドレスに基づき、当該スキャン文書と当該ユーザＩＤとを上記の配信サーバ１０２に転送（Ｓ２４１）する。次に、当該配信サーバ１０２（の情報処理部１３２）は、ユーザ毎の配信先情報に基づき、当該ユーザＩＤのユーザを宛先として当該スキャン文書を設定された配信先に配信（Ｓ２４２）する。次に、情報処理部１１４は、当該配信サーバ１０２から当該スキャン文書の配信結果を取得（Ｓ２４３）する。次に、情報処理部１１４からユーザインタフェース部１１２に、当該スキャン文書の配信結果が送信（Ｓ２４４）される。次に、ユーザインタフェース部１１２は、当該スキャン文書の配信結果を表示（Ｓ２４５）する。
【００３４】
第１実施例や第２実施例のＩＣカード１５１は例えば、通常のＩＣカードリーダライタで通常のＩＣカードにデータを書き込む方式で用意すればよい。第１実施例のＩＣカード１５１であれば配信サーバのＩＰアドレスを書き込んでおけばよいし、第２実施例のＩＣカード１５１であれば配信サーバのＩＰアドレスとデフォルト指定用のユーザＩＤを書き込んでおけばよい。ただし、第２実施例の場合には配信サーバと配信先情報（ユーザ）の整合性が問題となるため、第２実施例の場合には以下のような書き込み方式を利用するとよい。
【００３５】
図９は、第２の実施例のＰＣ（パーソナルコンピュータ）２０１に係る機能ブロック図である。ＰＣ２０１は、情報処理部２１１と、ユーザインタフェース部２１２と、カードインタフェース部２１３等により構成されている。ＰＣ２０１は、スキャナ１０１や配信サーバ１０２にネットワーク１０３で接続されており、配信サーバ１０２をサーバとするクライアントとなる。
【００３６】
情報処理部２１１は、書き込み処理に関する種々の情報処理を実行する機能ブロックであり、ＣＰＵやＲＡＭやＲＯＭやＨＤＤやＮＩＣ（ネットワークインタフェースカード）等により構成されている。ＲＯＭやＨＤＤには、図のように、オペレーティングシステム２２１や書き込み処理用のアプリケーション２２２が格納されている。
【００３７】
ユーザインタフェース部２１２は、表示用や操作用のユーザインタフェースを提供する機能ブロックであり、ディスプレイやキーボードやマウス等によって構成されている。
【００３８】
カードインタフェース部２１３は、ＩＣカードをセットするＩＣカードインタフェースを提供する機能ブロックであり、ＩＣカードリーダライタやデバイスドライバ等によって構成されている。
【００３９】
図１０は、ＰＣ２０１の操作画面２３１を表す。図１０の説明文中に登場するステップ番号は、図１１の図中に登場するステップ番号に相当する。図１１は、ＰＣ２０１による書き込み処理のフローチャート図である。
【００４０】
操作画面２３１は、カードインタフェース部２１３にセットされたＩＣカード１５１に配信サーバ１０２のＩＰアドレスとデフォルト指定用のユーザＩＤとを記憶させるための操作画面であり、ユーザインタフェース部２１２に表示（Ｓ１）される。操作画面２３１において、配信サーバ１０２のＩＰアドレスを入力するための入力欄２４１に配信サーバ１０２のＩＰアドレスが入力されて、配信サーバ１０２の接続ボタン２４２が押下されると、情報処理部２１１は、入力欄２４１に入力された配信サーバ１０２からユーザ一覧を取得（Ｓ２）する。操作画面２３１（ユーザインタフェース部２１２）では、ユーザ一覧を表示するための表示欄２４３に当該ユーザ一覧が表示（Ｓ３）される。操作画面２３１において、当該ユーザ一覧からユーザを選択するための選択欄２４４にて当該ユーザ一覧からユーザが選択されて、書込ボタン２４５が押下されると、情報処理部２１１は、書込処理を実行（Ｓ４）する。すなわち、入力欄２４１に入力された配信サーバ１０２のＩＰアドレスと、選択欄２４４でユーザ一覧から選択されたユーザのユーザＩＤとを、上記のＩＣカード１５１に記憶（Ｓ４）させる。
【００４１】
当該操作画面２３１の操作者は、ユーザ一覧からユーザを選択することができるため、デフォルト指定用のユーザＩＤをマニュアルで入力しなくて済む事になる。
【図面の簡単な説明】
【００４２】
【図１】スキャン文書を配信する文書配信システムの従来例を表す。
【図２】オペレーションパネルの表示内容の具体例を表す。
【図３】スキャン文書を配信する文書配信システムの第１の実施例を表す。
【図４】第１の実施例のスキャナの機能ブロック図である。
【図５】第１の実施例の配信サーバの機能ブロック図である。
【図６】第１の実施例の文書配信システムによる文書配信処理のシーケンス図である。
【図７】スキャン文書を配信する文書配信システムの第２の実施例を表す。
【図８】第２の実施例の文書配信システムによる文書配信処理のシーケンス図である。
【図９】第２の実施例のＰＣの機能ブロック図である。
【図１０】ＰＣの操作画面を表す。
【図１１】ＰＣによる書き込み処理のフローチャート図である。
【符号の説明】
【００４３】
１０１  スキャナ
１０２  配信サーバ
１０３  ネットワーク
１１１  スキャナ部
１１２  ユーザインタフェース部
１１３  カードインタフェース部
１１４  情報処理部
１２１  オペレーティングシステム
１２２  アプリケーション
１３１  情報処理部
１３２  ユーザインタフェース部
１４１  オペレーティングシステム
１４２  アプリケーション
１５１  ＩＣカード
２０１  ＰＣ
２１１  情報処理部
２１２  ユーザインタフェース部
２１３  カードインタフェース部
２２１  オペレーティングシステム
２２２  アプリケーション
２３１  操作画面
２４１  入力欄
２４２  接続ボタン
２４３  表示欄
２４４  選択欄
２４５  書込ボタン
【図１】
2006333428.tif 000003
【図２】
2006333428.tif 000004
【図３】
2006333428.tif 000005
【図４】
2006333428.tif 000006
【図５】
2006333428.tif 000007
【図６】
2006333428.tif 000008
【図７】
2006333428.tif 000009
【図８】
2006333428.tif 000010
【図９】
2006333428.tif 000011
【図１０】
2006333428.tif 000012
【図１１】
2006333428.tif 000013